(57)【要約】      （修正有）【課題】織物またはバッグ、箱と結合して、ともに偽造防止、防犯および／または物流管理への協力を行うための無線周波の識別フラグを提供する。【解決手段】無線周波の識別フラグは、電子タグ１と、第１の保護層２と、第２の保護層３と、第３の保護層４とを備えている。そのうち、第３の保護層４は刺繍層である。第１の保護層２は布である。第２の保護層３は接着布または接着テープであり、好ましくは熱溶融接着布である。製作の際に、まず布に刺繍を行い、予めにデザインしたパターンおよび／または模様を形成した後に、電子タグ１を第２の保護層３と第１の保護層２との間に位置させ、溶融または貼り付けのプロセスを用いて、第２の保護層３と第１の保護層２が密着されるようにして、電子タグ１をその中に包ませる。【選択図】図１
0003152962.tif 000002
【実用新案登録請求の範囲】
【請求項１】
熱溶融または固着または縫い合わせまたは圧着プロセスによって、織物またはバッグ、箱と結合されて、ともに偽造防止、防犯および／または物流管理への協力を行うための無線周波の識別フラグであって、電子タグと、熱溶融または固着または縫い合わせまたは圧着プロセスによって、織物またはバッグ、箱と結合される保護構造とを備え、前記電子タグは、保護構造の内部に覆われていることを特徴とする無線周波の識別フラグ。
【請求項２】
前記保護構造は、第１の保護層及び第２の保護層を有し、前記電子タグは、第１の保護層と第２の保護層との間に封止されていることを特徴とする請求項１に記載の無線周波の識別フラグ。
【請求項３】
前記第１の保護層は布であり、第２の保護層は刺繍層であることを特徴とする請求項２に記載の無線周波の識別フラグ。
【請求項４】
前記第１の保護層は革シートまたはゴムシートまたはプラスチックシートであり、第２の保護層は、接着布または接着テープまたは熱溶融接着布であることを特徴とする請求項２に記載の無線周波の識別フラグ。
【請求項５】
前記保護構造は、重ね合う第１の保護層、第２の保護層および第３の保護層を有し、前記電子タグは、第２の保護層と第３の保護層との間に封止されていることを特徴とする請求項１に記載の無線周波の識別フラグ。
【請求項６】
前記第１の保護層は刺繍層であり、第２の保護層は布であり、第３の保護層は、接着布または接着テープまたは熱溶融接着布、あるいはエポキシ樹脂であることを特徴とする請求項５に記載の無線周波の識別フラグ。
【請求項７】
前記保護構造は、重ね合う第１の保護層、第２の保護層及び第３の保護層を有し、前記電子タグは、第１の保護層と第２の保護層との間に封止されていることを特徴とする請求項１に記載の無線周波の識別フラグ。
【請求項８】
前記第１の保護層は、フィルムまたは布であり、第２の保護層は、エポキシ樹脂であり、第３の保護層は、刺繍層であることを特徴とする請求項７に記載の無線周波の識別フラグ。
【請求項９】
前記保護構造は、外構え及び構造的に札、徽章、背章、肩章、腕章、胸札、飾りシートの中のいずれか１つを構成していることを特徴とする請求項１から８のいずれか１項に記載の無線周波の識別フラグ。
【請求項１０】
前記保護構造は、そで口または襟口を支持するように、上着そで口または襟口に設けられための支持シートであり、前記電子タグは、支持シート上に封止され、前記支持シートの材質は、紙、プラスチックまたは不織布の中のいずれか１つであることを特徴とする請求項１から８のいずれか１項に記載の無線周波の識別フラグ。
【考案の詳細な説明】
【技術分野】
【０００１】
本考案は、無線周波の識別フラグに関し、特に、織物及びバッグ、箱等の商品に用いられる無線周波の識別フラグに関する。
【背景技術】
【０００２】
RFID（Radio Frequency Identification、即ち無線周波の識別であり、電子タグとしてよく知られている）自身は、バッテリーを持っていなく、カードリーダから送信される電磁エネルギーにより動作するものである。なお、その構造は、簡単で経済的には実用であるため、広く用いられている。その用途として、既に衣料品、食品、医療、住宅、交通などの広い分野を含んでおり、将来の更なる普及がよくわかれる。しかし、現在ではいずれもRFIDを貼り付け、ラベル付け、標札等として、さらにそれらの貼り付け、ラベル付け、標札等を製品に括り付けている。そのような使い方はよく破損されてその機能を失いやすくて、RFIDを、特に、衣服、帽子、ズボン、靴、靴下等の織物及びバッグ、箱等の商品において、物流管理や偽造防止、防犯の主要な機能を持たせないよう、或いは、該当する効果を奏しないようにする。
【考案の概要】
【考案が解決しようとする課題】
【０００３】
本考案は、織物及びバッグ、箱等の商品に用いられる無線周波の識別フラグを提供することを目的とする。
【課題を解決するための手段】
【０００４】
上記した課題を解決するために、本考案の無線周波の識別フラグは、熱溶融または固着または縫い合わせまたは圧着プロセスによって、織物またはバッグ、箱と結合されて、ともに偽造防止、防犯および／または物流管理への協力を行うための無線周波の識別フラグであって、電子タグと、熱溶融または固着または縫い合わせまたは圧着プロセスによって、織物またはバッグ、箱と結合される保護構造とを備え、前記電子タグは、保護構造の内部に覆われている。
【考案の効果】
【０００５】
本考案は、電子タグを保護構造の内部に覆わせるため、電子タグを十分に保護し隠れさせることができ、加えて熱溶融または固着または縫い合わせまたは圧着プロセスを適宜に用いて、衣服、帽子、ズボン、靴、靴下等の織物及びバッグ、箱等の商品と結合され、商品を破壊しなくては簡単に取り外すことができなくて、破損されてその機能を失い難くなって、十分に物流管理への協力が図られ、及び偽造防止、防犯の作用も奏する。
【図面の簡単な説明】
【０００６】
【図１】本考案の実施例１に係る無線周波の識別フラグの構造を示す図である。
【図２】本考案の実施例２に係る無線周波の識別フラグの構造を示す図である。
【図３】本考案の実施例３に係る無線周波の識別フラグの構造を示す図である。
【図４】本考案の実施例４に係る無線周波の識別フラグの構造を示す図である。
【図５】本考案の実施例５に係る無線周波の識別フラグの構造を示す図である。
【考案を実施するための形態】
【０００７】
（実施例１）
図１に示すように、本考案の無線周波の識別フラグは、電子タグ１と、第１の保護層２と、第２の保護層３と、第３の保護層４とを備えている。そのうち、第３の保護層４は刺繍層である。第１の保護層２は布である。第２の保護層３は接着布または接着テープであり、好ましくは熱溶融接着布である。製作の際に、まず布に刺繍を行い、予めにデザインしたパターンおよび／または模様を形成した後に、電子タグ１を第２の保護層３と第１の保護層２との間に位置させ、溶融または貼り付けのプロセスを用いて、第２の保護層３と第１の保護層２が密着されるようにして、電子タグ１をその中に包ませる。
【０００８】
本考案の無線周波の識別フラグは、半製品であり、その第１の保護層２、第２の保護層３及び第３の保護層４は保護構造を構成し、電子タグ１は当該保護構造の中に覆われて十分に保護される。保護構造は、必要に応じて札、徽章、肩章、背章、腕章、胸札、飾りシート等に設計することができ、使用の場合には、最終製品の異なる度合によって、熱溶融、固着、縫い合わせ、圧着等のプロセスをそれぞれに用いて、衣服、帽子、ズボン、靴、靴下等の織物及びバッグ、箱等の商品と結合させることができる。
【０００９】
本考案による無線周波の識別フラグは、札、徽章、肩章、背章、腕章、胸札、飾りシート等と結合されているため、第１に、消費者はRFIDがどこにあるかが分からないため、それを軽易に取り外しまたは破壊することがなく、第２に、無線周波の識別フラグと製品が密着されて、製品を破壊しなくては取り外し難くため、偽造防止、防犯機能を備えている。また、本考案の無線周波の識別フラグは、所有権を認識する機能を持ってもよい。
【００１０】
（実施例２）
図２に示すように、本考案の無線周波の識別フラグは、当該無線周波の識別フラグが電子タグ１以外に、第１の保護層２と第２の保護層３のみを備える点で実施例１と異なっている。そのうち、第１の保護層２は布であり、第２の保護層３は刺繍層である。製作の際に、まず電子タグ１を布に貼り付け、その後に、布に刺繍を行って、無線周波の識別フラグを形成している。電子タグ１は、布と刺繍層に形成された保護構造の中に包ませて保護され、且つ、保護構造は、必要に応じて札、徽章、肩章、背章、腕章、胸札、飾りシート等の形式に設計することができ、使用の場合には、熱溶融、固着、縫い合わせ、圧着等のプロセスを用いて、第１の保護層２を衣服、帽子、ズボン、靴、靴下等の織物やバッグ、箱等の商品と結合させることができる。
【００１１】
（実施例３）
図３に示すように、本考案の無線周波の識別フラグも、電子タグ１と、第１の保護層２と、第２の保護層３とを備えている。ここで、第１の保護層２は皮、ゴムまたはプラスチックの材料により製造された革シート、ゴムシートまたはプラスチックシートであり、且つ、革シート、ゴムシートまたはプラスチックシートは、札、背章、徽章、肩章、腕章、胸札、飾りシート等の形式に製造され、そして、その裏面に電子タグ１を置いた後に、第２の保護層３を貼り付けて電子タグ１をその間に封止している点において実施例２と異なっている。第１の保護層２と第２の保護層３とにより保護構造が構成される。第２の保護層３は、接着布、接着テープまたは熱溶融接着布等を用いてもよい。使用の場合には、熱溶融、固着、縫い合わせ、圧着等のプロセスを用いて、第２の保護層３を衣服、帽子、ズボン、靴、靴下等の織物やバッグ、箱等の商品と結合させることができる。
【００１２】
（実施例４）
図４に示すように、本考案の無線周波の識別フラグは、電子タグ１と第１の保護層２のみを備えている。そのうち、第１の保護層２はゴムまたはプラスチックの材料により製造され、札、徽章、背章、肩章、腕章、胸札、飾りシート等の形式に製造されることができ、且つ、第１の保護層が形成される前に、電子タグ１がその中に置かれるため、第１の保護層２が独立に保護構造を形成し、電子タグを覆っている。具体的には、２枚のゴムまたはプラスチックシートを用いて、電子タグ１をその間に挟ませ、その後に、接着または超音波半田付け等の方式により、２枚のゴムまたはプラスチックシートを結合させて第１の保護層２を形成してもよい。また、エポキシ樹脂などの材料を用いて、モールド射出成形により、電子タグ１を同時にその内部に射出封止してもよい。使用の場合には、熱溶融、固着、縫い合わせ、圧着等のプロセスを用いて、衣服、帽子、ズボン、靴、靴下等の織物やバッグ、箱等の商品と結合させることができる。
【００１３】
（実施例５）
図５に示すように、本考案の無線周波の識別フラグも、電子タグ１と、第１の保護層２と、第２の保護層３と、第３の保護層４を備えている。そのうち、第１の保護層２はフィルムまたは布であり、第２の保護層３はエポキシ樹脂であり、第３の保護層４は刺繍層である点で実施例１と異なっている。製作の際に、まずフィルムまたは布の一面に刺繍を行って、刺繍層を形成する。フィルムまたは布及び刺繍層は、必要に応じて、札、徽章、背章、肩章、腕章、胸札、飾りシート等の形式に設計することができる。そして、電子タグ１をフィルムまたは布に置かせ、最後に、エポキシ樹脂により電子タグ覆い、電子タグ１をフィルムまたは布とエポキシ樹脂との間に包ませて保護し、無線周波の識別フラグを形成している。使用の場合には、熱溶融、固着、縫い合わせ、圧着等のプロセスを用いて、無線周波の識別フラグを衣服、帽子、ズボン、靴、靴下等の織物やバッグ、箱等の商品と結合させることができる。
【００１４】
前記保護構造は、そで口または襟口を支持するように、上着そで口または襟口に設けられための支持シートであってもよく、前記電子タグは、支持シート上に封止され、前記支持シートの材質は、紙、プラスチックまたは不織布の中のいずれか１つであってもよい。
【００１５】
以上は具体的な最適実施例によって本考案をさらに詳しく説明したものであって、本考案は上記した具体的な実施例に限定されるものではない。なお、当業者にとって、本考案の思想の範囲を離脱しない限り、幾つかの簡単な推移または取替えを行っても、本考案の保護範囲に属するものである。
【符号の説明】
【００１６】
１    電子タグ
２    第１の保護層
３    第２の保護層
４    第３の保護層
【図１】
0003152962.tif 000003
【図２】
0003152962.tif 000004
【図３】
0003152962.tif 000005
【図４】
0003152962.tif 000006
【図５】
0003152962.tif 000007